(57)【要約】      （修正有）【課題】回転ベゼルを無くすことができ、潜水時間を正確に表示できる電子時計の制御方法および電子時計を提供する。【解決手段】第１指針と、第１指針を移動する第１モーター４１と、第２指針と、第２指針を移動する第２モーター４２と、圧力を測定する圧力センサー１１と、を備える電子時計１の制御方法であって、圧力センサー１１で測定した圧力に基づいて潜水開始を検知すると、第１モーター４１および第２モーター４２を制御し、圧力に基づく水深および潜水時間を第１指針および第２指針を用いて指示する。【選択図】図２
2020201063.tif 000002
【特許請求の範囲】
【請求項１】
第１指針と、
前記第１指針を移動する第１モーターと、
第２指針と、
前記第２指針を移動する第２モーターと、
圧力を測定する圧力センサーと、を備える電子時計の制御方法であって、
前記圧力センサーで測定した圧力に基づいて潜水開始を検知すると、前記第１モーターおよび前記第２モーターを制御し、前記圧力に基づく水深および潜水時間を前記第１指針および前記第２指針を用いて指示する
ことを特徴とする電子時計の制御方法。
【請求項２】
第１指針と、
前記第１指針を移動する第１モーターと、
第２指針と、
前記第２指針を移動する第２モーターと、
前記第１モーターを駆動する第１モーター駆動回路と、
前記第２モーターを駆動する第２モーター駆動回路と、
圧力を測定する圧力センサーと、
前記圧力センサーで測定した圧力に基づいて水深を推定して潜水開始を検知する環境推定部と、
前記環境推定部で前記潜水開始を検知すると、潜水時間の計時を開始する潜水時間計時部と、
前記第１モーター駆動回路および前記第２モーター駆動回路を介して前記第１モーターおよび前記第２モーターを制御し、前記環境推定部で推定した水深および前記潜水時間計時部で計時された潜水時間を、前記第１指針および前記第２指針を用いて指示させる針位置制御部と、
を備えることを特徴とする電子時計。
【請求項３】
請求項２に記載の電子時計において、
前記電子時計は水検知センサーを備え、
前記水検知センサーで前記電子時計が入水したことを検知すると、前記圧力センサーでの圧力測定を開始する
ことを特徴とする電子時計。
【請求項４】
請求項２または請求項３に記載の電子時計において、
前記潜水時間計時部は、前記環境推定部が推定した前記水深が所定値以上になると、潜水時間の計時を開始する
ことを特徴とする電子時計。
【請求項５】
請求項２から請求項４のいずれか一項に記載の電子時計において、
前記針位置制御部は、前記潜水時間計時部で潜水時間の計時を開始するとき、前記第１指針および前記第２指針のうち、潜水時間を指示する指針を１２時位置に移動させ、前記潜水時間の計時に連動して前記指針を運針する
ことを特徴とする電子時計。
【請求項６】
請求項２から請求項５のいずれか一項に記載の電子時計において、
第３指針と、
前記第３指針を移動する第３モーターと、
前記第３モーターを駆動する第３モーター駆動回路と、を備え、
前記第１指針は時針であり、前記第２指針は分針であり、前記第３指針は秒針であり、
前記針位置制御部は、
前記潜水時間計時部で潜水時間の計時を開始すると、前記第１指針および前記第２指針で前記水深および前記潜水時間を表示し、前記第３指針で現在時刻の秒を表示する
ことを特徴とする電子時計。
【請求項７】
請求項２から請求項５のいずれか一項に記載の電子時計において、
第３指針と、
前記第３指針を移動する第３モーターと、
前記第３モーターを駆動する第３モーター駆動回路と、を備え、
前記第１指針は時針であり、前記第２指針は分針であり、前記第３指針は秒針であり、
前記針位置制御部は、
前記潜水時間計時部で潜水時間の計時を開始すると、前記第１指針および前記第２指針で前記水深および前記潜水時間を表示し、前記第３指針で前記潜水時間の秒を表示する
ことを特徴とする電子時計。
【請求項８】
請求項２から請求項７のいずれか一項に記載の電子時計において、
第４指針と、
前記第４指針を駆動する第４モーターと、
前記第４モーターを駆動する第４モーター駆動回路と、を備え、
前記針位置制御部は、
前記環境推定部で前記潜水開始を検知した場合は、潜水モードを指示する位置に前記第４指針を移動させ、
前記環境推定部で前記潜水開始を検知していない場合は、バッテリー残量を前記第４指針で指示させる
ことを特徴とする電子時計。
【請求項９】
請求項２から請求項７のいずれか一項に記載の電子時計において、
前記環境推定部で前記潜水開始を検知した場合に、潜水モードであることを表示するデジタル表示部を備える
ことを特徴とする電子時計。
【請求項１０】
請求項２から請求項９のいずれか一項に記載の電子時計において、
ユーザーが操作可能な操作部を備え、
前記針位置制御部は、
前記潜水時間の表示中に前記操作部が操作されたことを検出すると、前記第１指針および前記第２指針で現在時刻を表示し、
前記現在時刻を表示してから一定時間経過後は、前記第１指針および前記第２指針を用いて前記水深および前記潜水時間を指示させる
ことを特徴とする電子時計。
【請求項１１】
請求項２から請求項１０のいずれか一項に記載の電子時計において、
ユーザーが操作可能な操作部を備え、
前記針位置制御部は、
前記潜水時間の表示中に前記操作部が操作されたことを検出すると、前記第１指針および前記第２指針の一方の指針で最大水深を表示し、他方の指針で現在の水深を表示する
ことを特徴とする電子時計。
【請求項１２】
請求項１１に記載の電子時計において、
ユーザーが操作可能な操作部を備え、
前記針位置制御部は、
前記第１指針および前記第２指針の一方の指針で最大水深を表示し、他方の指針で現在の水深を表示している場合に、前記操作部が操作されたことを検出すると、前記第１指針および前記第２指針で現在時刻を表示する
ことを特徴とする電子時計。
【請求項１３】
請求項２から請求項１２のいずれか一項に記載の電子時計において、
前記第１指針は時針であり、前記第２指針は分針であり、
前記第１指針で前記水深を指示し、前記第２指針で前記潜水時間を指示する
ことを特徴とする電子時計。
【発明の詳細な説明】
【技術分野】
【０００１】
本発明は、電子時計の制御方法および電子時計に関する。
【背景技術】
【０００２】
多くのダイバーズウォッチは、特許文献１にも記載されたように、潜水時間を確認するための回転ベゼルを搭載している。ダイバーズウォッチを装着したダイバーは、潜水開始時に回転ベゼルを回転し、潜水開始時の時刻、通常は分針に回転ベゼルの「０」の目盛を合わせる。ダイバーは、潜水中に、現在時刻を表示する分針が指示する回転ベゼルの目盛を読むことで、潜水時間を確認することができる。
【先行技術文献】
【特許文献】
【０００３】
【特許文献１】特開２００３−１９４９６８号公報
【発明の概要】
【発明が解決しようとする課題】
【０００４】
回転ベゼルを回転して潜水時間を計測する従来のダイバーズウォッチは、潜水開始時にユーザーが回転ベゼルを回転して目盛を合わせる必要がある。このため、ユーザーが回転操作を忘れたり、回転操作を誤操作して目盛の位置がずれた場合に、潜水時間を正確に表示できない場合がある。
【課題を解決するための手段】
【０００５】
本開示の電子時計の制御方法は、第１指針と、前記第１指針を移動する第１モーターと、第２指針と、前記第２指針を移動する第２モーターと、圧力を測定する圧力センサーと、を備える電子時計の制御方法であって、前記圧力センサーで測定した圧力に基づいて潜水開始を検知すると、前記第１モーターおよび前記第２モーターを制御し、前記圧力に基づく水深および潜水時間を前記第１指針および前記第２指針を用いて指示することを特徴とする。
【０００６】
本開示の電子時計は、第１指針と、前記第１指針を移動する第１モーターと、第２指針と、前記第２指針を移動する第２モーターと、前記第１モーターを駆動する第１モーター駆動回路と、前記第２モーターを駆動する第２モーター駆動回路と、圧力を測定する圧力センサーと、前記圧力センサーで測定した圧力に基づいて水深を推定して潜水開始を検知する環境推定部と、前記環境推定部で前記潜水開始を検知すると、潜水時間の計時を開始する潜水時間計時部と、前記第１モーター駆動回路および前記第２モーター駆動回路を介して前記第１モーターおよび前記第２モーターを制御し、前記環境推定部で推定した水深および前記潜水時間計時部で計時された潜水時間を、前記第１指針および前記第２指針を用いて指示させる針位置制御部と、を備えることを特徴とする。
【０００７】
本開示の電子時計において、前記電子時計は水検知センサーを備え、前記水検知センサーで前記電子時計が入水したことを検知すると、前記圧力センサーでの圧力測定を開始することが好ましい。
【０００８】
本開示の電子時計において、前記潜水時間計時部は、前記環境推定部が推定した前記水深が所定値以上になると、潜水時間の計時を開始することが好ましい。
【０００９】
本開示の電子時計において、前記針位置制御部は、前記潜水時間計時部で潜水時間の計時を開始するとき、前記第１指針および前記第２指針のうち、潜水時間を指示する指針を１２時位置に移動させ、前記潜水時間の計時に連動して前記指針を運針することが好ましい。
【００１０】
本開示の電子時計において、第３指針と、前記第３指針を移動する第３モーターと、前記第３モーターを駆動する第３モーター駆動回路と、を備え、前記第１指針は時針であり、前記第２指針は分針であり、前記第３指針は秒針であり、前記針位置制御部は、前記潜水時間計時部で潜水時間の計時を開始すると、前記第１指針および前記第２指針で前記水深および前記潜水時間を表示し、前記第３指針で現在時刻の秒を表示することが好ましい。
【００１１】
本開示の電子時計において、第３指針と、前記第３指針を移動する第３モーターと、前記第３モーターを駆動する第３モーター駆動回路と、を備え、前記第１指針は時針であり、前記第２指針は分針であり、前記第３指針は秒針であり、前記針位置制御部は、前記潜水時間計時部で潜水時間の計時を開始すると、前記第１指針および前記第２指針で前記水深および前記潜水時間を表示し、前記第３指針で前記潜水時間の秒を表示することが好ましい。
【００１２】
本開示の電子時計において、第４指針と、前記第４指針を駆動する第４モーターと、前記第４モーターを駆動する第４モーター駆動回路と、を備え、前記針位置制御部は、前記環境推定部で前記潜水開始を検知した場合は、潜水モードを指示する位置に前記第４指針を移動させ、前記環境推定部で前記潜水開始を検知していない場合は、バッテリー残量を前記第４指針で指示させることが好ましい。
【００１３】
本開示の電子時計において、前記環境推定部で前記潜水開始を検知した場合に、潜水モードであることを表示するデジタル表示部を備えるものでもよい。
【００１４】
本開示の電子時計において、ユーザーが操作可能な操作部を備え、前記針位置制御部は、前記潜水時間の表示中に前記操作部が操作されたことを検出すると、前記第１指針および前記第２指針で現在時刻を表示し、前記現在時刻を表示してから一定時間経過後は、前記第１指針および前記第２指針を用いて前記水深および前記潜水時間を指示させることが好ましい。
【００１５】
本開示の電子時計において、ユーザーが操作可能な操作部を備え、前記針位置制御部は、前記潜水時間の表示中に前記操作部が操作されたことを検出すると、前記第１指針および前記第２指針の一方の指針で最大水深を表示し、他方の指針で現在の水深を表示することが好ましい。
【００１６】
本開示の電子時計において、ユーザーが操作可能な操作部を備え、前記針位置制御部は、前記第１指針および前記第２指針の一方の指針で最大水深を表示し、他方の指針で現在の水深を表示している場合に、前記操作部が操作されたことを検出すると、前記第１指針および前記第２指針で現在時刻を表示することが好ましい。
【００１７】
本開示の電子時計において、前記第１指針は時針であり、前記第２指針は分針であり、前記第１指針で前記水深を指示し、前記第２指針で前記潜水時間を指示することが好ましい。
【図面の簡単な説明】
【００１８】
【図１】第１実施形態の電子時計を示す正面図である。
【図２】前記電子時計の構成を示すブロック図である。
【図３】前記電子時計の制御方法を示すフローチャートである。
【図４】プレ潜水モードの処理を示すフローチャートである。
【図５】プレダイバーモードの電子時計を示す正面図である。
【図６】潜水モードの処理を示すフローチャートである。
【図７】水深表示処理を示すフローチャートである。
【図８】シュノーケリングモードの電子時計を示す正面図である。
【図９】ダイバーモードの電子時計を示す正面図である。
【図１０】第２実施形態の電子時計の表示モードの切替状態を示す図である。
【図１１】変形例の電子時計を示す正面図である。
【発明を実施するための形態】
【００１９】
［第１実施形態］
図１は、第１実施形態の電子時計１を示す正面図である。
電子時計１は、ユーザーの手首に装着されるダイバーズクオーツウィッチであり、外装ケース２と、カバーガラスと、裏蓋とを備えている。外装ケース２内には、文字板３と、図２に示すムーブメント１０と、ムーブメント１０で駆動される指針６０とが設けられている。また、外装ケース２の側面には、操作部であるＡボタン５およびＢボタン６が設けられている。
【００２０】
図２は、ムーブメント１０の主要な構成を示すブロック図である。
ムーブメント１０は、圧力センサー１１、水検知センサー１２、制御装置２０、モーター駆動回路３０、モーター４０、輪列５０を備えている。また、図示を略すが、ムーブメント１０には、水晶振動子を用いた発振回路や、電源となる電池なども設けられる。
【００２１】
圧力センサー１１は、電子時計１に加わる圧力を測定し、制御装置２０に出力するセンサーであり、ダイバーズウォッチ用に一般的に用いられる圧力センサーを利用できる。
水検知センサー１２は、水検知センサー１２に水が接触すると導通し、電子時計１が水中に入水したことや、水中から退水したことを検知するセンサーである。
【００２２】
制御装置２０は、ＭＣＵと略されるMicro Controller Unitで構成され、環境推定部２１、潜水時間計時部２２、針位置制御部２３を備える。
環境推定部２１は、圧力センサー１１の測定値に基づいて、潜水中であるか否かと、潜水中であればその深度、つまり水深を推定する処理部である。環境推定部２１は、水検知センサー１２から電子時計１が入水したと判断できる検出信号が入力されると、圧力センサー１１を起動して圧力を測定する。環境推定部２１は、圧力センサー１１の起動中は、所定時間間隔、例えば１秒毎に圧力測定を行う。
環境推定部２１は、圧力センサー１１の測定値が、予め設定した水深に相当する所定値を超えた場合に潜水開始と判断する。本実施形態の電子時計１では、後述するように、潜水モードとして、比較的浅い水深で潜るシュノーケリングモードと、シュノーケリングモードに比べてより深い水深まで潜るダイバーモードとを選択できる。このため、潜水開始を判断する前記所定値も、シュノーケリングモードでは水深５０ｃｍの閾値を設定し、ダイバーモードでは水深１．５ｍの閾値を設定している。
環境推定部２１は、水検知センサー１２によって電子時計１が退水したことを検知した場合、圧力センサー１１を停止する。環境推定部２１は、再度、水検知センサー１２によって電子時計１の入水を検知すれば、圧力センサー１１を再度起動し、退水を検知すれば圧力センサー１１を再度停止する。
【００２３】
潜水時間計時部２２は、環境推定部２１が潜水開始と判断した時点からの経過時間、すなわち潜水時間を計時する。潜水時間計時部２２は、例えば、発振回路から出力される基準信号をカウントするカウンターで実現できる。
【００２４】
針位置制御部２３は、環境推定部２１で推定した水深や、潜水時間計時部２２で計時した潜水時間等の様々な潜水情報を表示する命令を受け、その潜水情報を指針で表示するための針位置と、その時点での各指針の針位置とから差分つまり指針の移動量を算出し、モーター駆動回路３０に対して駆動命令を出力する処理部である。本実施形態では、時針６１、分針６２、秒針６３、副針６４の４本の指針を備えるため、針位置制御部２３は各指針の移動を制御する。
【００２５】
モーター駆動回路３０は、モーター４０のコイルに対して駆動電流を供給してモーター４０を駆動する一般的な駆動回路である。本実施形態では、モーター駆動回路３０は、第１モーター駆動回路３１、第２モーター駆動回路３２、第３モーター駆動回路３３、第４モーター駆動回路３４を備える。
モーター４０は、時計用に用いられるステッピングモーターであり、本実施形態では、第１モーター４１、第２モーター４２、第３モーター４３、第４モーター４４を備える。
輪列５０は、モーター４０のローターの回転力を伝達して各指針を運針するものであり、本実施形態では、第１モーター４１で駆動される第１輪列５１と、第２モーター４２で駆動される第２輪列５２と、第３モーター４３で駆動される第３輪列５３と、第４モーター４４で駆動される第４輪列５４とを備える。
【００２６】
指針６０は、第１モーター４１および第１輪列５１で運針される第１指針である時針６１と、第２モーター４２および第２輪列５２で運針される第２指針である分針６２と、第３モーター４３および第３輪列５３で運針される第３指針である秒針６３と、第４モーター４４および第４輪列５４で運針される第４指針である副針６４とを備える。
図１に示すように、時針６１、分針６２、秒針６３は、文字板３の平面中心位置に文字板３を貫通して設けられる３本の指針軸にそれぞれ取り付けられたセンター針である。
副針６４は、文字板３の平面中心位置に対して１０時方向に設けられたサブダイヤル３Ａの位置に設けられている。
【００２７】
文字板３の外周には、文字板３の１２時位置から６０等分で配置された目盛７１が設けられている。以下の説明において、１２時位置の目盛７１を「０分」の目盛７１とし、以下、時計回りに配置された各目盛７１を「１分」から「５９分」の目盛７１と表現する。
サブダイヤル３Ａの外周には、バッテリー残量ゲージ７２と、潜水モードを指示する目盛Ｓ、目盛Ｄとが設けられている。副針６４は、時針６１、分針６２、秒針６３で現在時刻を表示する通常モードでは、バッテリー残量ゲージ７２を指示し、潜水モードでは、目盛Ｓまたは目盛Ｄを指示する。このため、副針６４およびサブダイヤル３Ａは、電子時計１の動作モードを表示するモード表示部として機能する。
【００２８】
バッテリー残量ゲージ７２において、ＦはＦｕｌｌの略であり、バッテリー残量が多い状態つまり電池電圧が高いレベルであることを示し、ＥはＥｍｐｔｙの略であり、バッテリー残量が少ない状態を示す。
目盛Ｓは、潜水モードにおいて、シュノーケリングやスキンダイビングのように比較的浅い水深で潜る場合のモードを示す目盛である。
目盛Ｄは、潜水モードにおいて、ダイビングのようにスキンダイビングなどに比べてより深い水深で潜る場合のモードを示す目盛である。
以下、副針６４が目盛Ｓを指示する状態をシュノーケリングモードあるいはＳモードとし、目盛Ｄを指示する状態をダイバーモードあるいはＤモードとする。
これらの潜水モードの違いは、水深を指針で指示する場合に、表示可能な水深範囲が異なる点にある。
例えば、時針６１で水深を指示する場合で説明すると、Ｓモードでは、１目盛つまり１分の目盛が指示する水深は１０ｃｍであり、時針６１が１２時位置つまり０分の目盛７１から１周つまり３６０°回転すると、水深０ｃｍから水深６００ｃｍつまり水深６ｍまでの水深を指示できる。
一方、Ｄモードでは、１目盛つまり１分の目盛が指示する水深は１ｍであり、時針６１が０分の目盛７１から１周つまり３６０°回転すると、水深０ｍから水深６０ｍまでの水深を指示できる。
【００２９】
Ｓモードにおいて、水深６ｍを超えた場合は、自動的にＤモードに移行し、針位置制御部２３は、副針６４で目盛Ｄを指示し、時針６１を水深６ｍの位置つまり６分の目盛７１を指示する。
Ｄモードにおいて、水深６０ｍを超えた場合、つまり時針６１が１周した場合も、針位置制御部２３は、１ｍ深くなる毎に１分毎の目盛７１を時針６１で指示する制御を継続する。このため、時針６１が、例えば、５分の目盛７１を指示する場合に、１周目であり５ｍを指示しているのか、２周目であり６５ｍを指示しているのかは、時針６１のみでは区別できない。そこで、時針６１が２周目、つまり６０ｍ以上になった場合は、副針６４を一定範囲で往復運針することで、ユーザーが時針６１が２周目の水深を指示することを把握できるようにしている。なお、副針６４を一定範囲で往復運針する代わりに、サブダイヤル３Ａに２周目であることを示す目盛「Ｄ２」を新たに設け、この目盛を副針６４で指示することで指示してもよい。また、電子時計１を振動させたり、音を鳴らしたり、発光ダイオードを設けて点灯させることで、時針６１が２周目であることを指示してもよい。
また、Ｓモードにおいて、水深６ｍを超えた場合にＤモードに移行せずに、Ｓモードのままで水深を指示するようにした場合も、Ｄモードと同様に、副針６４を往復運針させたり、サブダイヤル３Ａに新たな目盛「Ｓ２」を設けたりして指示すればよい。これにより、ユーザーは、時針６１が５分の目盛７１を指示している場合に、水深５０ｃｍであるか、水深６５０ｃｍであるかを判別できる。
さらに、時針６１が３周目以上回転する可能性がある場合も同様に対応すれば良い。
【００３０】
次に、潜水時の電子時計１の制御方法について説明する。
電子時計１の制御装置２０は、電子時計１の入水前は、モーター駆動回路３０を介して、第１モーター４１、第２モーター４２、第３モーター４３を制御し、時針６１、分針６２、秒針６３で現在時刻を指示するステップＳ１の通常モードを実行する。
制御装置２０は、通常モードの実行中に、ステップＳ２を実行し、電池電圧Ｖが第１閾値Ｖ１を超えているか否かを判断する。制御装置２０は、ステップＳ２でＮＯと判定すると、ステップＳ２の判定処理を継続する。このステップＳ２の判定を行うのは、電池電圧が低いレベルで、圧力センサー１１や水検知センサー１２を作動させたり、後述する潜水モードを実行すると、電池電圧の低下で制御装置２０が停止し、水深や潜水時間などの潜水情報をユーザーに提供できなく恐れがあるためである。ステップＳ２でＮＯの場合は、電子時計１を入水しても通常モードのままであるため、ユーザーは電池電圧が低いことを把握でき、電池交換や電池充電などで対応できる。
【００３１】
制御装置２０の環境推定部２１は、ステップＳ２でＹＥＳと判定した場合に、水検知センサー１２の電源をオンするステップＳ３の処理を実行する。なお、以下に説明するステップＳ３０の潜水モードを実行するまでは、時針６１、分針６２、秒針６３による時刻表示は継続して実行される。
環境推定部２１は、作動された水検知センサー１２によって、ステップＳ４の入水が検知されたか否かの判定処理を実行する。制御装置２０は、ステップＳ４でＮＯと判定した場合、電池電圧Ｖが第１閾値Ｖ１以下に低下したかを判定するステップＳ５の処理を実行する。
制御装置２０は、ステップＳ５でＹＥＳと判定した場合、環境推定部２１によって水検知センサー１２の電源をオフするステップＳ６の処理を実行し、ステップＳ１の通常モードに戻る。
環境推定部２１は、ステップＳ５でＮＯと判定した場合は、ステップＳ４の判定処理を継続する。
【００３２】
環境推定部２１は、ステップＳ４でＹＥＳと判定した場合、圧力センサー１１の電源をオンして作動を開始するステップＳ７を実行する。圧力センサー１１は、水検知センサー１２が退水つまり電子時計１が水中から出されたことを検知するまで、所定時間間隔、例えば１秒間隔で、圧力つまり水圧を計測する。
【００３３】
次に、制御装置２０は、ステップＳ１０のプレ潜水モードを実行する。プレ潜水モードは、水検知センサー１２で入水を検知した場合に実行され、潜水モードに移行する条件に該当するか否かを判定するモードである。
このプレ潜水モードを設定した理由は以下の通りである。
例えば、電子時計１を腕に装着したユーザーが、川遊びなどで電子時計１を装着した腕を水の中に入れた場合も、水検知センサー１２は入水を検知する。このため、入水検知のみで潜水モードに移行すると、潜水時間の計時などの無駄な処理を実行してしまう。
一方、入水検知時には通常モードを維持し、圧力センサー１１で測定した水圧が所定の水深条件に該当した場合に、通常モードから潜水モードに移行するように設定することも考えられる。この場合は、実際にダイビングなどを行っている場合でも、水深が浅い状態では潜水モードに切り替わらないため、電子時計１が故障しているとユーザーが誤認する可能性がある。
このため、本実施形態の電子時計１では、入水検知時に直ちに潜水モードに移行せず、一旦、プレ潜水モードに移行し、圧力センサー１１で測定した水圧が所定の水深条件に該当した場合に、潜水モードに移行して潜水時間の計時を開始するようにしている。
【００３４】
［プレ潜水モード］
プレ潜水モードの処理について、図４のフローチャートに基づいて説明する。
［プレダイバーモード］
制御装置２０は、ステップＳ１０のプレ潜水モードを実行すると、初期設定であるステップＳ１１のプレダイバーモードを実行する。ステップＳ１１では、針位置制御部２３は、図５に示すように、時針６１、分針６２、秒針６３による時刻表示を継続し、第４モーター駆動回路３４を介して第４モーター４４を制御し、副針６４で目盛Ｄを指示する。
【００３５】
制御装置２０は、Ａボタン５を長押し、例えば３秒以上押したか否かを判定するステップＳ１２を実行する。
制御装置２０がステップＳ１２でＮＯと判定した場合、環境推定部２１は、圧力センサー１１で測定した水圧に基づいて推定した水深Ｈがダイバーモードへの移行条件である閾値ＨＤ１以上になったか否かを判定するステップＳ１３を実行する。閾値ＨＤ１は、例えば、水深１．５ｍであるが、この閾値ＨＤ１は１．５ｍに限定されず、１．２ｍや２．０ｍ等、他の値を設定してもよい。
制御装置２０は、環境推定部２１がステップＳ１３でＹＥＳと判定した場合、ステップＳ１０のプレ潜水モードを終了し、ダイバーモードに設定した状態で後述するステップＳ３０の潜水モードを実行する。
【００３６】
環境推定部２１は、ステップＳ１３でＮＯと判定した場合、水検知センサー１２で退水を検知したか否かを判定するステップＳ１４を実行する。
環境推定部２１は、ステップＳ１４でＹＥＳと判定した場合、水検知センサー１２の電源をオフするステップＳ１５の処理を実行し、ステップＳ１の通常モードに戻る。
制御装置２０は、環境推定部２１がステップＳ１４でＮＯと判定した場合、ステップＳ１１のプレダイバーモードに戻る。
【００３７】
［プレシュノーケリングモード］
制御装置２０は、ステップＳ１２でＹＥＳと判定した場合、ステップＳ１６のプレシュノーケリングモードを実行する。ステップＳ１６では、針位置制御部２３は、図示は略すが、時針６１、分針６２、秒針６３による時刻表示を継続し、第４モーター駆動回路３４を介して第４モーター４４を制御し、副針６４で目盛Ｓを指示する。
【００３８】
制御装置２０は、プレシュノーケリングモードの実行中も、プレダイバーモードと同様の判定処理を実行する。すなわち、制御装置２０は、Ａボタン５を長押ししたか否かを判定するステップＳ１７を実行し、ステップＳ１７でＮＯと判定した場合、環境推定部２１は、圧力センサー１１で測定した水圧に基づき、水深がシュノーケリングモードへの移行条件である閾値ＨＳ１以上になったか否かを判定するステップＳ１８を実行する。閾値ＨＳ１は、例えば、水深５０ｃｍであるが、閾値ＨＳ１は５０ｃｍに限定されず、３０ｃｍや１．０ｍ等、他の値を設定してもよい。
制御装置２０は、環境推定部２１がステップＳ１８でＹＥＳと判定した場合、ステップＳ１０のプレ潜水モードを終了し、シュノーケリングモードに設定した状態で後述するステップＳ３０の潜水モードを実行する。
【００３９】
環境推定部２１は、ステップＳ１８でＮＯと判定した場合、水検知センサー１２で退水を検知したか否かを判定するステップＳ１９を実行する。
環境推定部２１は、ステップＳ１９でＹＥＳと判定した場合、水検知センサー１２の電源をオフするステップＳ２０の処理を実行し、ステップＳ１の通常モードに戻る。
制御装置２０は、環境推定部２１がステップＳ１９でＮＯと判定した場合、ステップＳ１６のプレシュノーケリングモードに戻る。
【００４０】
制御装置２０は、ステップＳ１７でＹＥＳと判定した場合、ステップＳ１１のプレダイバーモードを実行する。
したがって、プレ潜水モードでは、ダイバーモードやシュノーケリングモードへの移行条件に該当した場合と、退水を検知した場合に、プレ潜水モードから他のモードに移行する。
【００４１】
［潜水モード］
制御装置２０は、プレ潜水モードのステップＳ１３、Ｓ１８でＹＥＳと判定し、潜水モードへの移行条件に該当した場合、図３に示すように、ステップＳ３０の潜水モードを実行する。
制御装置２０は、潜水モードを実行すると、図６に示すように、ステップＳ３１の潜水時間表示処理と、ステップＳ４０の水深表示処理とを１秒毎に実行する。
なお、プレ潜水モードでは、時針６１、分針６２、秒針６３は現在時刻を指示しているため、針位置制御部２３は、潜水モードの開始時に、モーター駆動回路３０、モーター４０、輪列５０を介して、時針６１、分針６２、秒針６３を初期位置である０分位置つまり１２時の目盛７１を指示する位置に移動する。
【００４２】
ステップＳ３１の潜水時間表示処理では、潜水時間計時部２２は潜水モードに移行した時点で開始した潜水時間の計時を行う。針位置制御部２３は、潜水時間計時部２２で１秒毎に計時される潜水時間を、分針６２および秒針６３で指示する。この際、針位置制御部２３は、秒針６３を１秒おきに正転させ、潜水時間の秒を指示し、分針６２を５秒おきに正転させ、潜水時間の分を指示する。
また、針位置制御部２３は、潜水時間が１時間を超えた場合も、そのまま分針６２および秒針６３を正転させて潜水時間を表示し続ける。このため、潜水時間が１０分の場合と７０分の場合とで、分針６２および秒針６３の指示は同じである。
【００４３】
ステップＳ４０の水深表示処理について、図７を参照して説明する。
制御装置２０は、現在の潜水モードがダイバーモードであるかシュノーケリングモードであるかを判定するステップＳ４１を実行する。なお、図７では、ダイバーモードをＤモード、シュノーケリングモードをＳモードと表示する。
制御装置２０は、シュノーケリングモードに設定されている場合、圧力センサー１１の測定値に基づく水深Ｈがダイバーモードへの移行閾値ＨＤ３以上であるか否かを判定するステップＳ４２を実行する。本実施形態では、移行閾値ＨＤ３は６ｍ、つまり１０ｃｍ毎に時針６１が１目盛つまり６°回転するシュノーケリングモードにおいて、時針６１が１周３６０°回転すること、つまり水深Ｈが６ｍに達したことをダイバーモードへの移行条件としている。ただし、移行閾値ＨＤ３は６ｍに限定されず、ダイバーモードで潜水モードに移行する１．５ｍに設定しても良いし、１．５ｍ〜６ｍの間で設定してもよいし、６ｍ以上で設定してもよい。
【００４４】
ステップＳ４２でＮＯの場合、針位置制御部２３は、ステップＳ４３を実行し、時針６１でシュノーケリングモードでの水深表示を行う。すなわち、１目盛７１毎つまり１分ごとに１０ｃｍのスケールで指示される水深の位置に時針６１を移動する。例えば、図８に示す例では、時針６１が１５分の目盛７１を指示しているため、水深１５０ｃｍを指示していることになる。また、図８では、分針６２および秒針６３で表示する潜水時間は、４分３５秒経過している状態を示す。
【００４５】
図７に示すように、ステップＳ４２でＹＥＳの場合、制御装置２０は、潜水モードをシュノーケリングモードからダイバーモードに移行するステップＳ４４を実行する。この場合、針位置制御部２３は、副針６４の指示を目盛Ｓから目盛Ｄに切り替える。
ステップＳ４４の実行後、あるいは、ステップＳ４１でダイバーモードと判定された場合、針位置制御部２３は、ステップＳ４５を実行し、時針６１でダイバーモードでの水深表示を行う。すなわち、１目盛７１毎に１ｍのスケールで指示される水深の位置に時針６１を移動する。例えば、図９に示す例では、時針６１が１５分の目盛７１を指示しているため、水深１５ｍを指示していることになる。また、図９では、分針６２および秒針６３で表示する潜水時間は、２４分３５秒経過している状態を示す。
【００４６】
ステップＳ４３またはステップＳ４５で時針６１による水深表示を行う場合、針位置制御部２３は、前回の水深よりも今回の水深が大きい場合は時針６１を正転させ、前回の水深よりも今回の水深が小さい場合は時針６１を逆転させる。したがって、時針６１の正転時はユーザーが徐々に深く潜っている状態であり、逆転時はユーザーが徐々に浮上している状態である。
【００４７】
ステップＳ４３またはステップＳ４５で時針６１による水深表示を行うと、制御装置２０は、ステップＳ４０の水深表示処理を終了し、Ａボタン５が押されたか否かを判定するステップＳ３２を実行する。
制御装置２０は、ステップＳ３２でＹＥＳの場合は、時針６１、分針６２、秒針６３で現在時刻を表示するステップＳ３３の時刻表示処理を実行する。この際、時針６１、分針６２、秒針６３は、それぞれ独立した第１モーター４１、第２モーター４２、第３モーター４３で駆動されるため、水深および潜水時間の指示位置から現在時刻を指示するために、各指針の移動量が少ない方向に移動し、移動後は通常の時刻表示の運針を行う。
【００４８】
制御装置２０は、ステップＳ３３の現在時刻表示処理を開始してから所定時間、例えば１０秒間無操作であるか否かを判定するステップＳ３４を実行する。制御装置２０は、ステップＳ３４でＮＯと判定した場合は、ステップＳ３３の時刻表示処理を継続する。この際、針位置制御部２３は、秒針６３を１秒毎に運針し、分針６２を５秒毎に運針し、時針６１を１分毎に運針する。
制御装置２０は、ステップＳ３４でＹＥＳの場合は、ステップＳ３１に戻り、潜水時間表示処理と、水深表示処理とを継続して実行する。
【００４９】
制御装置２０は、ステップＳ３２でＮＯの場合、環境推定部２１で推定する水深Ｈが所定閾値未満に小さくなったか否かを判定するステップＳ３５を実行する。所定閾値は、潜水モードに応じて設定され、図６でＤモードと表示するダイバーモードでは閾値ＨＤ２が設定され、図６でＳモードと表示するシュノーケリングモードでは閾値ＨＳ２が設定される。閾値ＨＤ２は、閾値ＨＤ１と同じ値、例えば１．５ｍでもよいし、閾値ＨＤ１と異なる値でもよい。同様に、閾値ＨＳ２は、閾値ＨＳ１と同じ値、例えば、５０ｃｍでもよいし、閾値ＨＳ１と異なる値でもよい。
制御装置２０は、ステップＳ３５でＹＥＳと判定した場合は、水深が浅い位置まで浮上しているため、図３に示すステップＳ１０のプレ潜水モードを実行する。プレ潜水モードに移行すると、潜水時間計時部２２による潜水時間の計時は終了し、針位置制御部２３は、時針６１、分針６２、秒針６３で現在時刻を表示する。
【００５０】
制御装置２０は、ステップＳ３５でＮＯと判定した場合は、水検知センサー１２によって退水を検知したか否かを判定するステップＳ３６を実行する。
制御装置２０は、ステップＳ３６でＹＥＳと判定すると、ステップＳ１の通常時刻表示処理を実行する。制御装置２０は、ステップＳ３６でＮＯと判定した場合、ステップＳ３１に戻り、潜水時間表示処理および水深表示処理を実行する。
プレ潜水モードを実行せずに退水を検知する判定条件を設定したのは、例えば、水深１ｍ程度の浅瀬の海底でシュノーケリングを行っている状態からユーザーが立ち上がって水面から出ることで、圧力センサー１１で水圧の変化を検出する前に、水検知センサー１２が退水を検知するような場合である。
【００５１】
以上に説明したように、電子時計１では、時針６１、分針６２、秒針６３で現在時刻を表示する通常モードにおいて、入水を検知するとプレ潜水モードに移行し、プレ潜水モードで水深が閾値を超えると潜水モードに移行する。潜水モードに移行すると、潜水時間の計時を開始し、時針６１で水深を表示し、分針６２および秒針６３で潜水時間を表示する。潜水モード時にＡボタン５を長押しすると現在時刻を表示し、一定時間経過後に、水深および潜水時間の表示に戻る。
また、潜水モードで水深が閾値未満になるとプレ潜水モードに戻り、プレ潜水モードまたは潜水モードで退水を検知すると、通常モードに戻る。
【００５２】
［第１実施形態の作用効果］
電子時計１は、潜水モードに移行した時点から潜水時間の計時を開始する潜水時間計時部２２を備え、潜水モードでは、潜水時間計時部２２で計時した潜水時間を、分針６２おおび秒針６３で表示している。このため、回転ベゼルを設ける必要が無いため、回転ベゼルの操作し忘れや、誤操作によって潜水時間を誤って指示することもなく、正確な潜水時間を表示できる。また、回転ベゼルを不要にできるので、外装デザインの制約が低減し、部品数も削減でき、外装ケース２も薄型化できる。
圧力センサー１１で測定した水圧に基づいて、水深を推定する環境推定部２１を備え、潜水モードでは、時針６１によって水深を指示するため、潜水時間に加えて水深も表示できる。
時針６１、分針６２、秒針６３を独立して駆動できる構成を採用したので、通常モード時に時刻表示を行う指針と、潜水モード時に水深および潜水時間を表示する指針とを兼用できる。このため、指針の数を少なくでき、電子時計１の表示部のデザインをシンプルにできる。
【００５３】
圧力センサー１１に加えて水検知センサー１２を設け、水検知センサー１２で入水を検知してから圧力センサー１１を作動しているので、圧力センサー１１を常時作動する場合に比べて消費電力を低減できる。
潜水時間計時部２２は、圧力センサー１１で測定した圧力に基づき、環境推定部２１が推定した水深が所定値以上となった場合、具体的には、ダイバーモードでは閾値ＨＤ１以上となった場合であり、シュノーケリングモードでは閾値ＨＳ１以上になった場合に、潜水時間の計時を開始している。このため、例えば、ユーザーが水面に浮かんでいる場合のように、入水を検知しても実際に潜水していない状態で潜水時間の計時を開始することを防止でき、潜水時間を正確に測定できる。
【００５４】
潜水時間の計時開始時に、針位置制御部２３は、潜水時間を指示する分針６２および秒針６３を１２時位置に移動させてから、潜水時間を指示するように制御しているので、ユーザーは直感的にかつ正確に潜水時間を把握できる。
また、分針６２で潜水時間の分を表示し、秒針６３で潜水時間の秒を表示しているため、秒針６３が正常に運針していることをユーザーは容易に確認でき、これにより電子時計１が正常に機能していることを容易に認識できる。すなわち、秒針６３は１秒運針であるため、５秒毎に運針する分針６２や、水深を指示するため一定間隔で運針しない時針６１に比べて、異常運針した場合にユーザーは容易に確認できる。このため、秒針６３が正常に運針していることで、電子時計１が正常であることをユーザーは容易に認識できる。
【００５５】
現在のモードを指示する副針６４を設けたので、時針６１、分針６２、秒針６３を兼用していても、ユーザーは現在のモードを容易に確認できる。さらに、副針６４は通常モード時にバッテリー残量ゲージ７２を指示するため、電池電圧も容易に把握できる。
【００５６】
時針６１で水深を指示し、分針６２、秒針６３が潜水時間の分、秒を指示している場合でも、ユーザーがＡボタン５を押すだけで、現在時刻の表示に切り替わるため、ユーザーは潜水中であっても必要な時に簡単に時刻を確認できる。
さらに、時刻表示に切り替えてから、一定時間無操作で経過すれば、自動的に潜水情報の表示に戻るため、ユーザーの利便性を向上できる。
【００５７】
潜水モードとして、ダイバーモードおよびシュノーケリングモードを選択できるようにし、各モードにおいて、時針６１が指示する水深のスケールを切り替えるようにしたので、各モードにおいて水深情報を適切に表示できる。
【００５８】
［第１実施形態の変形例］
第１実施形態では、秒針６３は、潜水モード時に潜水時間の秒を指示していたが、現在時間の秒の指示を継続してもよい。すなわち、通常モードでは、現在時刻を時針６１、分針６２、秒針６３で表示し、潜水モードでは、時針６１で水深を指示し、分針６２で潜水時間の分を表示し、秒針６３で現在時刻の秒を表示してもよい。
この場合、潜水時間の秒を確認することができないが、実用上は潜水時間の分を確認できればよく、潜水時間の秒を確認できなくても潜水時間の把握に大きな影響を与えることはないためである。
また、分針６２で潜水時間の分を表示し、秒針６３が現在時刻の秒を表示している場合も、秒針６３が正常に運針し続けることで、ユーザーは電子時計１が正常に機能していることを容易に認識できる。
【００５９】
［第２実施形態］
次に、第２実施形態の電子時計１Ｂについて説明する。電子時計１Ｂは、潜水モード時の潜水時間および水深の表示方法が第１実施形態の電子時計１と相違する。このため、潜水モード時の潜水情報の表示について以下に説明する。
電子時計１Ｂは、潜水モードに移行すると、Ａボタン５やＢボタン６の操作によって、潜水時間表示モード、水深表示モード、時刻表示モードを切り替える。電子時計１Ｂのサブダイヤル３Ｂには、図１０に示すように、バッテリー残量ゲージ７２と、シュノーケリングモードでの潜水時間表示モードを示す目盛ＳＴと、シュノーケリングモードでの水深表示モードを示す目盛ＳＨと、ダイバーモードでの潜水時間表示モードを示す目盛ＤＴと、ダイバーモードでの水深表示モードを示す目盛ＤＨとが表示されている。
【００６０】
前記第１実施形態の電子時計１と同様に、プレ潜水モードから潜水モードに移行すると、潜水時間計時部２２は潜水時間の計時を開始し、針位置制御部２３は潜水時間表示モードを実行する。潜水時間表示モードでは、図１０の左上の電子時計１Ｂで示すように、針位置制御部２３は、副針６４で目盛ＤＴを指示し、潜水時間の時を時針６１で指示し、潜水時間の分を分針６２で指示し、潜水時間の秒を秒針６３で指示する。
【００６１】
潜水時間表示モードの実行中に、ユーザーがＡボタン５を押すと、水深表示モードに切り替わり、図１０の右下の電子時計１Ｂで示すように、針位置制御部２３は、副針６４で目盛ＤＨを指示し、時針６１で最大水深を指示し、分針６２で現在の水深を指示する。秒針６３は、潜水時間の秒の指示を継続する。
ここで、最大水深とは、現在の潜水時、つまり潜水モードに移行後、潜水モードを抜けてプレ潜水モードや通常モードに移行するまでの間で最も水深が大きい値である。ただし、時針６１で表示する最大水深を、当日の潜水モードでの最大水深の表示に切り替えたり、過去の最大水深の表示に切り替えることができるように設定してもよい。
【００６２】
潜水時間表示モードの実行中に、ユーザーがＡボタン５を押すと、潜水時間表示モードに切り替わる。すなわち、潜水情報を表示するモードである潜水時間表示モードおよび水深表示モードは、Ａボタン５を押すことで交互に切り替わる。
【００６３】
潜水時間表示モードや水深表示モードの実行中に、ユーザーがＢボタン６を押すと、時刻表示モードに切り替わり、図１０の左の電子時計１Ｂで示すように、針位置制御部２３は、副針６４でバッテリー残量ゲージ７２を指示し、時針６１、分針６２、秒針６３で現在の時刻を表示する。
時刻表示モードの実行中に、ユーザーがＡボタン５を押すと、潜水時間表示モードに切り替わり、針位置制御部２３は、時針６１、分針６２、秒針６３で潜水時間を表示する。すなわち、潜水情報を表示するモードから時刻表示モードへはＢボタン６の操作で切り替わり、時刻表示モードでＡボタン５を押すと、潜水情報の初期表示モードである潜水時間表示モードに切り替わる。
【００６４】
なお、図１０はダイバーモードでの潜水情報の表示例であったが、シュノーケリングモードに設定されている場合、針位置制御部２３は、潜水時間表示モードに切り換えられると、副針６４で目盛ＳＴを指示し、水深表示モードに切り換えられると、副針６４で目盛ＳＨを指示する。
その他の構成や動作は第１実施形態と同様であるため、説明を省略する。
【００６５】
［第２実施形態の作用効果］
電子時計１Ｂは、前記第１実施形態と同様の作用効果を奏することができる。さらに、潜水モード時に、潜水時間表示モードと、水深表示モードとを切り替えるので、潜水時間を時針６１、分針６２、秒針６３で表示でき、潜水時間が１時間以上になった場合でもユーザーは潜水時間を容易に把握できる。また、水深表示モードでは、分針６２による現在の水深表示に加えて、時針６１によって最大水深の表示を行うことができるので、水深に関するより多くの情報を表示でき、ユーザーの利便性を向上できる。例えば、ユーザーは、最大水深に対する現在の水深を把握することで、潜水状況を容易に判断できる。
【００６６】
潜水情報である潜水時間表示モードおよび水深表示モードの切替はＡボタン５で行い、時刻表示モードへの切替はＢボタン６で行い、時刻表示モードから潜水時間表示モードへの切替はＡボタン５で行うため、ユーザーはＡボタン５を押せば潜水情報を表示でき、Ｂボタン６を押せば時刻を表示できることを容易に把握でき、操作性を向上できる。
【００６７】
サブダイヤル３Ｂに、潜水モードの種類つまりダイバーモードまたはシュノーケリングモードと、潜水情報の種類つまり潜水時間または水深との組み合わせを示す４種類の目盛を設け、副針６４で指示するため、ユーザーは、時針６１、分針６２、秒針６３で指示される情報の種類を容易に把握できる。
また、時刻表示モード時は、副針６４はバッテリー残量ゲージ７２を指示するため、時針６１、分針６２、秒針６３で現在時刻を表示していることをユーザーは容易に把握できる。
【００６８】
［第２実施形態の変形例］
電子時計１Ｂは、３種類の表示モード、つまり潜水時間表示モード、水深表示モード、時刻表示モードの切り替えに、Ａボタン５およびＢボタン６の２つのボタンを用いていたが、いずれか１つのボタンのみで切り替えてもよい。
例えば、潜水モードに移行した場合の初期モードが潜水時間表示モードであり、潜水時間表示モード中にＡボタン５を押すと水深表示モードに切り替わり、水深表示モード中にＡボタン５を押すと時刻表示モードに切り替わり、時刻表示モード中にＡボタン５を押すと潜水時間表示モードに切り替わるように構成してもよい。この場合、Ａボタン５を押すだけで３種類のモードを切り替えることができるので、切替時の操作性を向上できる。なお、各モードの切替時に副針６４が指示する目盛が切り替わる点は第２実施形態と同じである。
【００６９】
［他の実施形態］
なお、本発明は前述の各実施形態に限定されるものではなく、本発明の目的を達成できる範囲での変形、改良等は本発明に含まれるものである。
例えば、図１１に示す電子時計１Ｃのように、有機ＥＬディスプレイや液晶ディスプレイ等を用いたデジタル表示部４を設け、このデジタル表示部４で時針６１、分針６２、秒針６３が指示する情報の種類を示す表示モードを表示してもよい。
例えば、第１実施形態の電子時計１において、サブダイヤル３Ａおよび副針６４の代わりにデジタル表示部４を設ける場合は、デジタル表示部４で「Ｄモード」や「Ｓモード」を表示すればよい。また、第２実施形態の電子時計１Ｂにおいて、サブダイヤル３Ｂおよび副針６４の代わりにデジタル表示部４を設ける場合は、デジタル表示部４に「ＤＴモード」、「ＤＨモード」、「ＳＴモード」、「ＳＨモード」を表示すればよい。
電子時計１Ｃでは、サブダイヤル３Ａ、３Ｂおよび副針６４を不要にできるので、第４モーター駆動回路３４、第４モーター４４、第４輪列５４も無くすことができ、電子時計１Ｃの小型化、薄型化を実現しやすい。
なお、電子時計１Ｃにおいて、潜水モードやプレ潜水モードに移行していない通常モードや、潜水モード時にボタン操作で切り替わる時刻表示モード時には、デジタル表示部４でバッテリー残量を表示してもよいし、デジタル表示部４の表示をオフしてもよい。
【００７０】
前記各実施形態では、プレ潜水モードを設けていたが、プレ潜水モードを設けずに、通常モードから潜水モードに直接切り替わるようにしてもよい。
また、前記各実施形態では、潜水モードとして、ダイバーモードとシュノーケリングモードとを設けていたが、ダイバーモードのみを設けてもよい。
前記実施形態では、水検知センサー１２を設け、水検知センサー１２で入水を検知した場合に圧力センサー１１を作動するようにしていたが、水検知センサー１２を設けずに圧力センサー１１のみを設けてもよい。なお、圧力センサー１１のみを設けた場合は、圧力センサー１１を常時作動させるために消費電力が増加するため、例えば、ダイバーモードのみを設けた電子時計において、水深１．５ｍに相当する圧力が加わるまでは、圧力センサー１１の動作間隔を例えば５分間隔などと長く設定し、水深１．５ｍ以上になったと推定できた場合に圧力センサー１１の動作間隔を１秒毎などに短く設定することで、消費電力の低減を図ってもよい。
【００７１】
潜水モード時に電池電圧を測定し、電池電圧が閾値以下に低下した場合は、秒針６３を２秒運針つまり２秒毎に２秒分運針することで、ユーザーに対して電池電圧の低下を通知してもよい。この２秒運針は、秒針６３で潜水時間の秒を表示している場合に限らず、Ａボタン５を押して現在時刻の秒を表示する場合も実行してもよい。
【００７２】
水深を指示する時針６１や分針６２の各目盛のスケールは、前記実施形態の例に限定されない。例えば、シュノーケリングモード時には、１目盛（１分）で２．５ｃｍのスケールとし、時針６１が３６０°回転した場合に、２．５ｃｍ×６０分＝１．５ｍとなるように設定してもよい。この場合、１．５ｍでダイバーモードに移行するようにすれば、シュノーケリングモード時に時針６１が１周以上回転することがなく、ユーザーが潜水モードの切替や水深を把握しやすい。
【符号の説明】
【００７３】
１…電子時計、１Ｂ…電子時計、１Ｃ…電子時計、２…外装ケース、３…文字板、３Ａ…サブダイヤル、３Ｂ…サブダイヤル、４…デジタル表示部、５…Ａボタン、６…Ｂボタン、１０…ムーブメント、１１…圧力センサー、１２…水検知センサー、２０…制御装置、２１…環境推定部、２２…潜水時間計時部、２３…針位置制御部、３０…モーター駆動回路、３１…第１モーター駆動回路、３２…第２モーター駆動回路、３３…第３モーター駆動回路、３４…第４モーター駆動回路、４０…モーター、４１…第１モーター、４２…第２モーター、４３…第３モーター、４４…第４モーター、５０…輪列、５１…第１輪列、５２…第２輪列、５３…第３輪列、５４…第４輪列、６０…指針、６１…時針、６２…分針、６３…秒針、６４…副針、７１…目盛、７２…バッテリー残量ゲージ、Ｄ…目盛、ＤＨ…目盛、ＤＴ…目盛、Ｓ…目盛、ＳＨ…目盛、ＳＴ…目盛。
【図１】
2020201063.tif 000003
【図２】
2020201063.tif 000004
【図３】
2020201063.tif 000005
【図４】
2020201063.tif 000006
【図５】
2020201063.tif 000007
【図６】
2020201063.tif 000008
【図７】
2020201063.tif 000009
【図８】
2020201063.tif 000010
【図９】
2020201063.tif 000011
【図１０】
2020201063.tif 000012
【図１１】
2020201063.tif 000013